(57)【要約】【課題】宅配ボックスからの宅配物の取り出しを好適に行わせることにより、利便性の向上を図ることができる宅配ボックスシステムを提供する。【解決手段】建物１０の玄関ドア１６に設けられた施錠装置２１は、居住者の携帯する電子キー２２の認証に基づいて屋外側から施解錠される。建物１０の屋外側には、宅配ボックス３０が設けられている。施錠装置２１が屋外側から解錠された場合、その電子キー２２のＩＤ情報に基づいて、解錠した居住者が特定される。宅配ボックス３０内に宅配物がある場合、赤外線センサ３４及び重量センサ３５によって検出された宅配物の大きさ及び重量に基づいて、特定された玄関ドア１６の解錠者があらかじめ定められた宅配物の取り出しにおける許可条件を満たしているか否かを判定することにより、宅配物の取り出しを許可するか否かを判定する。【選択図】      図１
2020146402.tif 000002
【特許請求の範囲】
【請求項１】
建物の出入口を開閉する開閉体と、その開閉体に設けられ、ユーザによる所定の解錠操作に基づいて解錠される施錠装置とを備える建物に適用され、
前記出入口付近に設けられ、屋外からの宅配物の出し入れを可能とする宅配ボックスと、
前記所定の解錠操作により前記施錠装置が解錠された場合に、当該解錠操作を行ったユーザを特定する特定手段と、
前記宅配ボックス内の宅配物の大きさ及び重量の少なくともいずれかの情報を取得する情報取得手段と、
前記特定手段による特定結果と前記情報取得手段により取得された前記宅配物の情報とに基づいて、前記宅配ボックスからの宅配物の取り出しを許可又は非許可とする制御手段と、
を備えることを特徴とする宅配ボックスシステム。
【請求項２】
前記宅配ボックスには、前記宅配物の大きさ及び重量の少なくともいずれかを検出する検出手段が設けられており、
前記情報取得手段は、前記検出手段の検出結果から得られる前記宅配物の情報を取得する、請求項１に記載の宅配ボックスシステム。
【請求項３】
前記施錠装置が屋外側又は屋内側のどちら側から解錠されたかを判定する判定手段を備え、
前記制御手段は、
前記判定手段により屋外側からの解錠と判定された場合には、前記特定手段による特定結果と前記情報取得手段により取得された前記宅配物の情報とに基づいて、前記宅配ボックスからの宅配物の取り出しを許可又は非許可とし、
前記判定手段により屋内側からの解錠と判定された場合には、前記特定手段による特定結果と前記情報取得手段による情報とにかかわらず、前記宅配ボックスからの宅配物の取り出しを許可する、請求項１又は２に記載の宅配ボックスシステム。
【請求項４】
前記制御手段は、前記特定手段による特定結果と前記情報取得手段により取得された前記宅配物の情報とに基づいて前記宅配ボックスからの宅配物の取り出しが許可された場合に、前記宅配物の取り出しが許可されてから所定の待機時間において前記宅配物の取り出しを許可する、請求項１〜３のいずれか１項に記載の宅配ボックスシステム。
【請求項５】
前記制御手段は、
前記判定手段により屋外側からの解錠と判定された場合に、前記宅配物の取り出しが許可されてから所定の第１待機時間において前記宅配物の取り出しを許可し、
前記判定手段により屋内側からの解錠と判定された場合に、前記宅配物の取り出しが許可されてから前記第１待機時間よりも短い所定の第２待機時間において前記宅配物の取り出しを許可する、請求項３に記載の宅配ボックスシステム。
【請求項６】
前記出入口付近に設けられ、前記宅配ボックスの使用状況を報知する報知手段と、
前記報知手段による報知を実行する報知実行手段と、
を備え、
前記報知実行手段は、前記特定手段による特定結果と前記情報取得手段により取得された前記宅配物の情報とに基づいて、前記宅配ボックスからの宅配物の取り出しが許可されているか許可されていないかを前記報知手段により報知する、請求項１〜５のいずれか１項に記載の宅配ボックスシステム。
【発明の詳細な説明】
【技術分野】
【０００１】
本発明は、宅配ボックスシステムに関する。
【背景技術】
【０００２】
近年、住宅等の建物又はその敷地において、宅配業者から宅配される宅配物を受け取るための宅配ボックスが設けられている場合がある。例えば、複数の世帯が住居する集合住宅においては、複数の宅配ボックスを備えた宅配ロッカーが設けられていることが多い。このような宅配ロッカーにおいては、宅配物を宅配ボックスに収納する場合に、その宅配物（宅配ボックス）と住人の部屋番号データとを紐付けすることにより、宅配ボックスでの荷物の受け渡しが可能となるシステムが知られている。
【０００３】
例えば、特許文献１では、ある住人宛ての宅配物が宅配ボックスに収納されている状況において、その住人が帰宅して集合住宅の入口に設けられた電気扉を携帯型通信機により解錠しようとすると、携帯型通信機が振動し、これにより宅配ボックスに宅配物があることを住人に通知するシステムが開示されている。
【先行技術文献】
【特許文献】
【０００４】
【特許文献１】特開２００８−０４９０４４号公報
【発明の概要】
【発明が解決しようとする課題】
【０００５】
しかしながら、帰宅してきた際に宅配ボックスに宅配物があることを通知されたとしても、宅配ボックスを開けた結果、大きい又は重い宅配物であったために宅配物を宅配ボックスから取り出せない場合がある。この場合、宅配ボックスを開けたのにもかかわらず、その場は宅配ボックスをいったん閉じることになり、宅配物の通知による利便性が発揮されていない。また、このような宅配ボックス内の宅配物を確認するだけの作業は、ユーザにとっても手間である。
【０００６】
本発明は、上記事情に鑑みてなされたものであり、宅配ボックスからの宅配物の取り出しを好適に行わせることにより、利便性の向上を図ることができる宅配ボックスシステムを提供することを目的とする。
【課題を解決するための手段】
【０００７】
上記課題を解決すべく、第１の発明の宅配ボックスシステムは、
建物の出入口を開閉する開閉体と、その開閉体に設けられ、ユーザによる所定の解錠操作に基づいて解錠される施錠装置とを備える建物に適用され、
前記出入口付近に設けられ、屋外からの宅配物の出し入れを可能とする宅配ボックスと、
前記所定の解錠操作により前記施錠装置が解錠された場合に、当該解錠操作を行ったユーザを特定する特定手段と、
前記宅配ボックス内の宅配物の大きさ及び重量の少なくともいずれかの情報を取得する情報取得手段と、
前記特定手段による特定結果と前記情報取得手段により取得された前記宅配物の情報とに基づいて、前記宅配ボックスからの宅配物の取り出しを許可又は非許可とする制御手段と、
を備えることを特徴とする。
【０００８】
第１の発明によれば、ユーザ（以下、居住者）が帰宅して建物の開閉体を開けるために所定の解錠操作を行うことにより、その居住者が特定される。そして、宅配ボックス内に宅配物が存在する場合、その宅配物の重さ及び大きさの少なくとも一方の情報が取得される。この場合において、宅配物の情報と、その居住者の特定結果とに基づいて、宅配物の取出しを許可又は非許可とされる。これにより、例えば、帰宅した居住者（すなわち、特定された居住者）にとっては大きすぎる宅配物の場合には、宅配物の取り出しを非許可とされ、帰宅した居住者に運搬可能な宅配物の場合には、宅配物の取り出しを許可とされることが可能となる。
【０００９】
よって、宅配物の取り出しを許可された場合には、その居住者が運搬可能とされる宅配物であるため、宅配ボックスを開けたのにもかかわらず、その場は宅配ボックスをいったん閉じるというような状況がなく、利便性の向上を図ることができる。
【００１０】
第２の発明の宅配ボックスシステムは、第１の発明において、
前記宅配ボックスには、前記宅配物の大きさ及び重量の少なくともいずれかを検出する検出手段が設けられており、
前記情報取得手段は、前記検出手段の検出結果から得られる前記宅配物の情報を取得することを特徴とする。
【００１１】
宅配ボックスに宅配物の大きさ及び重量の少なくともいずれかを検出する検出手段が設けられることにより、上記第１の発明の効果を好適に得ることができる。例えば、宅配物の配送者が宅配物の情報を入力したり、居住者が宅配物の情報を消去したりする手間をかけることがなく、その都度、宅配物の大きさや重さの情報を検出手段により取得できる。
【００１２】
第３の発明の宅配ボックスシステムは、第１又は第２の発明において、
前記施錠装置が屋外側又は屋内側のどちら側から解錠されたかを判定する判定手段を備え、
前記制御手段は、
前記判定手段により屋外側からの解錠と判定された場合には、前記特定手段による特定結果と前記情報取得手段により取得された前記宅配物の情報とに基づいて、前記宅配ボックスからの宅配物の取り出しを許可又は非許可とし、
前記判定手段により屋内側からの解錠と判定された場合には、前記特定手段による特定結果と前記情報取得手段による情報とにかかわらず、前記宅配ボックスからの宅配物の取り出しを許可することを特徴とする。
【００１３】
第３の発明によれば、開閉体（施錠装置）が屋外側又は屋内側のいずれで行われたかに応じて、宅配ボックスの取り出し許可の条件を変更するようにしている。すなわち、屋外側から開閉体が解錠される場合、帰宅してきた居住者がその開閉体を解錠する状況と想定される。この場合には、その解錠した居住者の特定結果と、宅配物の情報とに基づいて、宅配物の取出しが許可又は非許可とされる。これにより、その居住者が運搬可能とされる宅配物か否かを判定することができるため、利便性の向上を図ることができる。屋内側から開閉体が解錠される場合、居住者が宅配ボックスから宅配物を取り出すために屋内側から屋外側へと出る状況が想定される。このとき、居住者は、宅配物を取り出すための準備を整えた状態（例えば、カートを用意）であると考えられ、よって、この場合には、その居住者が運搬可能とされる宅配物か否かを判定する必要がなく、解錠した居住者の特定結果と宅配物の情報とにかかわらず、宅配物の取り出しが許可される。これにより、屋内側から屋外側に出た居住者はそのまま宅配物の取り出しができるため、利便性の向上をより図ることができる。
【００１４】
第４の発明の宅配ボックスシステムは、第１〜３の発明のいずれかにおいて、
前記制御手段は、前記特定手段による特定結果と前記情報取得手段により取得された前記宅配物の情報とに基づいて前記宅配ボックスからの宅配物の取り出しが許可された場合に、前記宅配物の取り出しが許可されてから所定の待機時間において前記宅配物の取り出しを許可することを特徴とする。
【００１５】
第４の発明によれば、宅配ボックスからの宅配物の取り出しが許可された場合には、宅配物の取り出しが許可されてから所定の待機時間においてその宅配物の取り出しが許可される。これにより、宅配物を取り出すまでに時間の猶予ができる。よって、帰宅した居住者に対して宅配物の取り出しが許可されているが、その居住者が手に荷物を持っている場合には、いったん荷物を建物内に置いた後に宅配ボックスから宅配物を取り出すことができ、利便性の向上を図ることができる。
【００１６】
第５の発明の宅配ボックスシステムは、第３の発明において、
前記制御手段は、
前記判定手段により屋外側からの解錠と判定された場合に、前記宅配物の取り出しが許可されてから所定の第１待機時間において前記宅配物の取り出しを許可し、
前記判定手段により屋内側からの解錠と判定された場合に、前記宅配物の取り出しが許可されてから前記第１待機時間よりも短い所定の第２待機時間において前記宅配物の取り出しを許可することを特徴とする。
【００１７】
第５の発明によれば、宅配ボックスからの宅配物の取り出しが許可された場合には、開閉体が屋内側又は屋外側のどちら側から解錠されたかに基づいて、宅配物の取り出しが許可される待機時間が相違し、屋外側から解錠された場合には、屋内側から解錠された場合よりも待機時間が長い。屋外側から開閉体が解錠された場合には、上記第４の発明と同様に、宅配物の取り出しが許可された居住者が、いったん建物内に入った後に屋外側へ戻ってきてから宅配物を取り出すことがありうる。そのため、その戻ってくる時間を待つための待機時間が定められているのが望ましいが、屋内側から開閉体が解錠された場合には、その待機時間は不要である。よって、上記構成とすることにより、宅配ボックスからの宅配物の取り出しが許可される待機時間を必要に応じた時間に設定できるため、過剰に長い間において宅配ボックスからの宅配物の取り出しが許可されることがなく、防犯上好ましい。
【００１８】
第６の発明の宅配ボックスシステムは、第１〜５の発明のいずれかにおいて、
前記出入口付近に設けられ、前記宅配ボックスの使用状況を報知する報知手段と、
前記報知手段による報知を実行する報知実行手段と、
を備え、
前記報知実行手段は、前記特定手段による特定結果と前記情報取得手段により取得された前記宅配物の情報とに基づいて、前記宅配ボックスからの宅配物の取り出しが許可されているか許可されていないかを前記報知手段により報知することを特徴とする。
【００１９】
第６の発明によれば、宅配ボックス内の宅配物の取り出しが許可されたか許可されていないかが報知手段により報知される。これにより、帰宅して建物の開閉体を解錠した居住者は、自身が取り出す宅配物が宅配ボックス内に収納されているか否かを確実に知ることができる。よって、居住者は、帰宅と同時に自身が取り出す宅配物の有無の確認ができ、自身が取り出す宅配物がある場合には帰宅と同時に建物内に宅配物を持ち運べるため、利便性の向上を図ることができる。
【図面の簡単な説明】
【００２０】
【図１】宅配ボックスシステムの構成を示す概略図。
【図２】宅配ボックスの施解錠処理を示すフローチャート。
【図３】記憶部に記録された宅配物の取り出しにおける許可条件を示す概念図。
【発明を実施するための形態】
【００２１】
以下に、本発明を具体化した一実施の形態について図面を参照しつつ説明する。図１は、宅配ボックスシステムの構成を示す概略図であり、宅配ボックスシステムは住宅等の建物１０に設けられている。
【００２２】
図１に示すように、建物１０には、屋内スペースとして、玄関部１１、廊下１２、居室１３等が設けられている。玄関部１１には、出入口としての玄関口１５が設けられている。この玄関口１５を通じて建物１０への出入りが可能となっている。玄関口１５には、開閉体としての玄関ドア１６が設けられており、この玄関ドア１６により玄関口１５が開閉される。
【００２３】
玄関ドア１６には、屋外側に取っ手としてのドアハンドル１７が設けられ、ドアハンドル１７にはタッチセンサ１８が内蔵されている（図１、玄関ドア１６の部分拡大図参照）。タッチセンサ１８は、静電容量式のセンサであり、そのセンサ部分に人が接触したことを検出する。ドアハンドル１７には、表示灯１９が備えられている。表示灯１９には、赤と緑とのＬＥＤランプが内蔵されている。表示灯１９が報知手段に相当する。
【００２４】
玄関ドア１６には、施錠装置２１が取り付けられている。施錠装置２１は通電により玄関ドア１６の施錠（ロック）及び解錠（アンロック）を行う電気錠からなる。施錠装置２１は、建物１０の居住者が携帯する電子キー２２によって施解錠されるようになっている。
【００２５】
玄関ドア１６付近の屋外側（玄関ドア１６の屋外側の面でも可）には、通信装置２３が設けられている。通信装置２３は、リクエスト信号を発信して、無線通信用の通信エリアＣＡを形成する。通信装置２３における通信エリアＣＡは、平面視において通信装置２３を中心とする円形の所定範囲である。通信装置２３は、その通信エリアＣＡ内にて電子キー２２と双方向での通信が可能とされている。
【００２６】
施錠装置２１は、屋内側（玄関部１１側）から施解錠操作が可能なサムターン部２１ａを有している。本実施形態では、屋内側から施錠装置２１が施解錠される場合には、このサムターン部２１ａが操作されることにより施解錠されることとする。
【００２７】
施錠装置２１には、施解錠検出センサ２４が内蔵されている。施解錠検出センサ２４は、施錠装置２１が施錠状態にあるか又は解錠状態にあるかを検出するセンサである。
【００２８】
玄関口１５付近の屋外側には、図１に示すように、宅配ボックス３０が設けられている。宅配ボックス３０には、開口部３１が設けられており、この開口部３１を通じて、屋外から宅配ボックス３０内への宅配物の収納と取り出しとが可能となっている。
【００２９】
開口部３１には、開口部３１を開閉する扉３２が取り付けられている。扉３２は、例えば回動可能な横開きの扉とされている。扉３２には、当該扉３２を施解錠するための施錠装置３３が設けられている。施錠装置３３は、通電により施解錠を行う電気錠からなる。
【００３０】
宅配ボックス３０内（例えば、宅配ボックス３０内の上部）には、赤外線センサ３４が設けられている。赤外線センサ３４は、宅配ボックス３０内の空間に向けて赤外線を照射する。赤外線センサ３４は、その照射する赤外線が遮られることにより、宅配ボックス３０内における宅配物の存在と、その宅配物の大きさ（宅配物上面のサイズ及び宅配物の高さ）とを検出する。赤外線センサ３４は検出手段に相当する。なお、赤外線センサ３４は、超音波センサや可視光等の光センサであってもよい。
【００３１】
宅配ボックス３０内（例えば、宅配ボックス３０内の底部）には、重量センサ３５が設けられている。重量センサ３５は、宅配ボックス３０内に存在する宅配物の重量を検出する。重量センサ３５は検出手段に相当する。
【００３２】
次に、本システムの電気的構成について説明する。
【００３３】
建物１０には、宅配ボックスシステムを制御するコントローラ４０が備えられている。コントローラ４０は、例えば、玄関部１１の壁に取り付けられている。コントローラ４０が特定手段、情報取得手段及び制御手段に相当する。
【００３４】
コントローラ４０は、ＣＰＵ、ＲＯＭ、ＲＡＭ等からなる周知のマイクロコンピュータを備えて構成されている。コントローラ４０は、居住者に関する情報、各種センサ類からの検出結果等を記憶する記憶部４１を有している。
【００３５】
コントローラ４０には、通信装置２３が接続されている。ここで、通信エリアＣＡ内において、電子キー２２は、コントローラ４０からの要求に応じてＩＤ情報を送信する。すなわち、電子キー２２は、通信装置２３の通信エリアＣＡに進入してリクエスト信号を受信する。そして、電子キー２２は、そのリクエスト信号に応答してＩＤ情報を通信装置２３に送信する。ＩＤ情報が通信装置２３により受信されると、当該ＩＤ情報が通信装置２３からコントローラ４０に入力される。コントローラ４０は、通信装置２３を介して電子キー２２からのＩＤ情報が入力されると、当該ＩＤ情報と予め記憶部４１に登録されたＩＤ情報との一致判定を行い、正規の電子キー２２であるか否かの認証を行う。
【００３６】
コントローラ４０には、施錠装置２１と、タッチセンサ１８とが接続されている（タッチセンサ１８は接続の図示略）。コントローラ４０には、タッチセンサ１８から逐次検出結果が入力される。そして、上記ＩＤ情報によって電子キー２２が正規認証されている状況において、タッチセンサ１８からの検出結果（すなわち、タッチセンサ１８に人が接触した旨の検出結果）が入力されると、コントローラ４０は施錠装置２１の施錠又は解錠を行う。すなわち、施錠装置２１が施錠されている状態においてタッチセンサ１８からの検出結果が入力されると施錠装置２１を解錠し、施錠装置２１が解錠されている状態においてタッチセンサ１８から検出結果が入力されると施錠装置２１を施錠する。電子キー２２が正規のものに該当しない場合には、施錠装置２１の施解錠は行われない。本実施形態では、屋外側から施錠装置２１が施解錠される場合には、この電子キー２２による認証に基づいて行われるものとする。
【００３７】
なお、本実施形態では、記憶部４１において、ＩＤ情報はそれぞれ電子キー２２を携帯する人と紐付けされて記憶されている。例えば、建物１０には、５人の居住者が住んでおり、各自が電子キー２２を保有しているとする。この場合、ＩＤ情報「１２３４５６７８」に対して「父」とされ、ＩＤ情報「４３２１４３２１」に対して「母」とされ、以下、同様に、子Ａ、子Ｂ、子Ｃの各自に電子キー２２のＩＤ情報が紐付けされている。
【００３８】
コントローラ４０には、施解錠検出センサ２４が接続されている。コントローラ４０には、施解錠検出センサ２４から逐次検出結果が入力される。コントローラ４０は、施解錠検出センサ２４からの検出結果に基づいて、施錠装置２１の施解錠状態（施錠状態又は解錠状態）を判定する。
【００３９】
コントローラ４０には、表示灯１９が接続されている（接続の図示略）。コントローラ４０は、表示灯１９の表示（表示形式）を制御する。
【００４０】
コントローラ４０には、赤外線センサ３４と重量センサ３５とが接続され、それぞれの検出結果が逐次入力される。
【００４１】
コントローラ４０には、施錠装置３３が接続されている。コントローラ４０は、施錠装置３３の施解錠を制御する。
【００４２】
次に、コントローラ４０により実行される宅配ボックスシステムの制御処理の内容について、図２のフローチャートに基づいて説明する。本処理は、所定の時間周期（例えば、０．５秒）で繰り返し実行される。
【００４３】
図２に示すように、ステップＳ１１では、玄関ドア１６が解錠されたか否かを判定する。ここでは、施解錠検出センサ２４からの検出結果に基づき、施錠装置２１が施錠状態から解錠状態とされたことが検出された場合は、玄関ドア１６が解錠されたとしてステップＳ１２へ進む。施錠装置２１が施錠状態から解錠状態とされたことが検出されていない場合は、玄関ドア１６は解錠されていないとして本処理を終了する。
【００４４】
ステップＳ１２では、赤外線センサ３４による検出結果を取得することにより、宅配ボックス３０内に宅配物があるか否かを判定する。赤外線センサ３４により物体の存在が検出されている場合には、宅配ボックス３０内に宅配物があるとしてステップＳ１３に進む。赤外線センサ３４により物体の存在が検出されていない場合には、宅配ボックス３０内に宅配物はないとして本処理を終了する。
【００４５】
ステップＳ１３では、ステップＳ１１における玄関ドア１６の解錠が、電子キー２２の認証に基づいてなされたものであったか否かを判定する。すなわち、通信装置２３を介して電子キー２２から受信したＩＤ情報が、記憶部４１に記憶されたＩＤ情報のいずれかと一致したこと及びタッチセンサ１８における接触に基づいて施錠装置２１が解錠された場合には、電子キー２２の認証に基づいてなされたものであるとしてステップＳ１４へ進む。施錠装置２１が電子キー２２のＩＤ情報の認証とは関係なく解錠された場合には、電子キー２２の認証に基づいてなされたものでないとしてステップＳ２３へ進む。
【００４６】
ステップＳ２３では、屋内側からの解錠と判定する。施錠装置２１は、屋内側からサムターン部２１ａを操作することにより解錠操作が可能である。よって、ステップＳ１１における解錠が電子キー２２の認証による解錠でない場合には、屋内側からのサムターン部２１ａの操作により解錠されていると判定される。ステップＳ２３で、屋内側から玄関ドア１６が解錠されたと判定された場合には、ステップＳ１９へ進む。
【００４７】
ステップＳ１４では、屋外側からの解錠と判定する。すなわち、ステップＳ１１における解錠が電子キー２２の認証に基づいてなされたものである場合には、電子キー２２を携帯する居住者によって屋外側から解錠されたものであると考えられるためである。続くステップＳ１５において、解錠者を特定する。ここでは、ステップＳ１１における解錠によって電子キー２２のＩＤ情報を受信しているため、記憶部４１に記憶されたＩＤ情報のうち、この受信したＩＤ情報と一致するＩＤ情報に紐付けされている居住者が解錠者として特定される。
【００４８】
続いて、ステップＳ１６では、赤外線センサ３４及び重量センサ３５による検出結果を取得することにより、宅配ボックス３０内の宅配物の大きさ及び重量を特定する。
【００４９】
次に、ステップＳ１７では、宅配物の取り出しを許可するか否かを判定する。ここで、本実施形態では、宅配物の取り出しにおける許可条件があらかじめ定められている。図３には、記憶部４１に記憶された許可条件の概念図が示されている。図３に示すように、各居住者に対して、宅配物の大きさ（宅配物上面のサイズ及び宅配物の高さ）と宅配物の重さとが定められている。これにより、運搬可能な大きさ及び重さを各居住者に対して設定することができる。よって、ステップＳ１７では、ステップＳ１６で特定された宅配物の大きさ及び重量に基づいて、ステップＳ１５において特定された玄関ドア１６の解錠者が許可条件を満たしているか否かを判定することにより、宅配物の取り出しを許可するか否かを判定する。玄関ドア１６の解錠者が許可条件を満たしている場合には、宅配物の取り出しを許可するとしてステップＳ１８へ進む。玄関ドア１６の解錠者が許可条件を満たしていない場合には、宅配物の取り出しを許可しないとしてステップＳ２４へ進む。
【００５０】
ステップＳ２４では、ドアハンドル１７に設けられた表示灯１９を赤色で点滅させることにより、自身（玄関ドア１６の解錠者）が取り出しを許可されていない宅配物が宅配ボックス３０内にあることを通知する。通知処理後、本処理を終了する。
【００５１】
ステップＳ１８では、ドアハンドル１７に設けられた表示灯１９を緑色で点滅させることにより、自身（玄関ドア１６の解錠者）が取り出しを許可された宅配物が宅配ボックス３０内にあることを通知する。通知処理後、ステップＳ１９に進む。
【００５２】
ステップＳ１９では、施錠装置３３（扉３２）を解錠することにより、宅配ボックス３０を解錠する（開閉可能とする）。ここで、ステップＳ１９は、ステップＳ１８からステップＳ１９へと進む場合と、ステップＳ２３からステップＳ１９へと進む場合がある。前者の場合は、屋外側から解錠される場合であり、よって、解錠者が許可条件を満たすことに基づいて宅配ボックス３０が解錠される場合である。後者の場合は、玄関ドア１６が屋内側から解錠されたことに基づいて宅配ボックス３０が解錠される場合である。この場合には、例えば、屋内側から宅配物を取り出すために居住者が建物１０から出てきたことが想定されるため、許可条件にかかわらず、宅配ボックス３０を解錠する。
【００５３】
続くステップＳ２０では、赤外線センサ３４による検出結果を取得することにより、宅配ボックス３０内に宅配物があるか否かを判定する。ここでは、宅配ボックス３０が解錠された後に宅配物が取り出されたか否かを判定している。赤外線センサ３４により、宅配ボックス３０内に物体の存在が検出されている場合には、宅配物が取り出されていない、すなわち、宅配ボックス３０内に宅配物があるとしてステップＳ２１に進む。赤外線センサ３４により、宅配ボックス３０内に物体の存在が検出されていない場合には、宅配物が取り出された、すなわち、宅配ボックス３０内に宅配物はないとしてステップＳ２２へ進む。
【００５４】
ステップＳ２１では、宅配ボックス３０を解錠してから所定の待機時間が経過したか否かを判定する。所定の待機時間は、例えば、帰宅した居住者が、いったん建物１０の屋内側に入り、玄関部１１等に荷物を置いた後に屋外側へ戻り、宅配ボックス３０から宅配物を取り出すまでに要する所要時間であればよい。本実施形態では、３分とする。待機時間が経過した場合には、ステップＳ２２へ進む。待機時間が経過していない場合には、ステップＳ２０へ戻り、各処理を繰り返す。よって、宅配ボックス３０を解錠してから待機時間が経過するまで、宅配ボックス３０は解錠されたままとされる。
【００５５】
ステップＳ２０において宅配物がないと判定された場合、又はステップＳ２１において待機時間が経過したと判定された場合には、ステップＳ２２へ進み、施錠装置３３（扉３２）を施錠することにより、宅配ボックス３０を施錠する（開閉不可とする）。施錠した後、本処理を終了する。
【００５６】
以上、詳述した本実施形態の構成によれば、以下の優れた効果が得られる。
【００５７】
（１）本実施形態によれば、居住者が帰宅して屋外側から玄関ドア１６を開けるために所定の解錠操作を行う（すなわち、電子キー２２の認証に基づき解錠する）ことにより、その解錠した居住者が特定される。そして、宅配ボックス３０内に宅配物が存在する場合、その宅配物の情報（重さ及び大きさ）が取得される。本実施形態によれば、建物１０の各居住者に対して、宅配物の大きさと重量とについて許可条件があらかじめ定められている。よって、建物１０の玄関ドア１６を解錠した居住者の特定結果と宅配物の情報とに基づいて、解錠した居住者が許可条件を満たしているか否かが判定され、宅配物の取出しが許可又は非許可とされる。
【００５８】
これにより、例えば、帰宅した居住者（すなわち、特定された居住者）にとっては大きすぎる宅配物の場合には、許可条件を満たしていないとして宅配物の取り出しが非許可とされ、帰宅した居住者に運搬可能な宅配物の場合には、許可条件を満たしているとして宅配物の取り出しが許可されることが可能となる。この場合、宅配物の取り出しを許可された場合には、その居住者が運搬可能とされる宅配物であるため、宅配ボックス３０を開けたのにもかかわらず、その場は宅配ボックス３０をいったん閉じるというような状況がなく、利便性の向上を図ることができる。
【００５９】
（２）本実施形態によれば、解錠した居住者が許可条件を満たしていると判定された場合には、自動的に宅配ボックス３０に備えられた施錠装置３３（扉３２）が解錠されることにより、宅配ボックス３０が解錠される。これにより、宅配物の取り出しのために宅配ボックス３０を解錠する手間が省略でき、利便性の向上を図ることができる。
【００６０】
（３）本実施形態によれば、建物１０の玄関ドア１６（施錠装置２１）が屋外側から解錠された場合には、その解錠した居住者の特定結果と宅配物の情報とに基づいて宅配物の取り出しが許可又は非許可とされるのに対して、建物１０の玄関ドア１６が屋内側から解錠された場合には、その解錠した居住者の特定結果や宅配物の情報にかかわらず、宅配物の取り出しが許可される。屋内側から玄関ドア１６が解錠される場合、居住者が宅配ボックス３０から宅配物を取り出すために屋内側から屋外側へと出る状況が想定される。このとき、居住者は、宅配物を取り出すための準備を整えた状態（例えば、カートを用意）であると考えられる。よって、本実施形態によれば、このような場合には解錠した居住者が許可条件を満たしているかにかかわらず宅配物の取り出しを許可する。これにより、屋内側から屋外側に出た居住者は、宅配ボックス３０の施錠装置３３を解錠することなく、そのまま宅配物の取り出しができるため、利便性の向上を図ることができる。
【００６１】
（４）本実施形態によれば、宅配ボックス３０内の宅配物の取り出しが許可されたか許可されていないかが表示灯１９による表示にて報知される。これにより、帰宅して建物１０の玄関ドア１６を解錠した居住者は、自身が取り出す宅配物が宅配ボックス３０内に収納されているか否かを確実に知ることができる。よって、居住者は、帰宅と同時に自身が取り出す宅配物の有無の確認ができ、自身が取り出す宅配物がある場合には帰宅と同時に建物内に宅配物を持ち運べるため、利便性の向上を図ることができる。
【００６２】
（５）本実施形態によれば、宅配ボックス３０からの宅配物の取り出しが許可された場合には、宅配ボックス３０が解錠されてから所定の待機時間においてその宅配ボックス３０が解錠状態のままとされる。これにより、宅配物を取り出すまでに時間の猶予ができる。よって、帰宅した居住者に対して宅配物の取り出しが許可されているが、その居住者が手に荷物を持っている場合には、いったん建物１０の屋内側に入り、荷物を置いた後に屋外側へ戻り、宅配ボックス３０から宅配物を取り出すことができ、利便性の向上を図ることができる。
【００６３】
（６）本実施形態によれば、居住者の携帯する電子キー２２のＩＤ情報に基づいて、玄関ドア１６（施錠装置２１）を屋外側から解錠した居住者が特定される。これにより、新たな設備を導入することなく、玄関ドア１６を解錠した居住者の特定が可能である。
【００６４】
本発明は上記実施形態に限らず、例えば次のように実施されてもよい。
【００６５】
（１）上記実施形態では、居住者の携帯する電子キー２２のＩＤ情報を利用してユーザを特定する構成としたが、ユーザの特定手段としてはこれに制限されず、玄関ドア１６の解錠をする居住者が特定できればよい。例えば、玄関ドア１６付近の屋外側にカメラ又は指紋認証用の装置が設けられ、当該カメラにより撮影された人の画像に基づいて、又は指紋認証用の装置により取得された指紋に基づいて、解錠した居住者を特定してもよい。
【００６６】
（２）上記実施形態では、電子キー２２からのＩＤ情報に基づいて解錠されたか否かにより施錠装置２１の解錠操作が屋外側からの解錠操作か又は屋内側からの解錠操作かを判断したが、屋内側からと屋外側からとの識別方法はこれに制限されない。例えば、サムターン部２１ａにタッチセンサを設け、施解錠検出センサ２４から解錠が検出され、かつサムターン部２１ａに設けられたタッチセンサにおいて人の接触が検出された場合に屋内側からの解錠操作と判定してもよい。また、玄関ドア１６の屋内側と屋外側とにそれぞれ人感センサを設け、施解錠検出センサ２４から解錠が検出された場合に、屋内側又は屋外側のどちらの人感センサにより人の存在が検出されたかに基づいて、屋内側からの解錠操作か又は屋外側からの解錠操作かを判定してもよい。
【００６７】
（３）上記実施形態では、報知手段が表示灯１９とされているが、報知手段はこれに制限されず、例えば、玄関ドア１６付近の屋外側にスピーカが設けられ、当該スピーカにより音声やアラーム音などで宅配物があることを通知（報知）されてもよい。
【００６８】
（４）上記実施形態では、宅配ボックス３０内に宅配物がある状況において屋外側から玄関ドア１６が解錠された場合には、その宅配物の取り出しが許可又は非許可にかかわらず、表示灯１９が点滅することにより宅配物がある旨が通知されているが、例えば、宅配物の取り出しが許可されている場合にかぎり宅配物があることを通知される構成であってもよい。
【００６９】
（５）上記実施形態では、宅配ボックス３０が解錠されてから所定の待機時間において宅配ボックス３０が解錠状態のままとされているが、屋外側からの玄関ドア１６の解錠（すなわち、電子キー２２の認証による解錠）に伴う宅配ボックス３０の解錠と、屋内側からの玄関ドア１６の解錠（すなわち、サムターン部２１ａの操作による解錠）に伴う宅配ボックス３０の解錠とで、待機時間を相違させてもよい。例えば、屋外側からの解錠に伴う宅配ボックス３０の解錠の場合には、待機時間を３分とし、屋内側からの解錠に伴う宅配ボックス３０の解錠の場合には、待機時間を１分とする。この場合、図２のステップＳ２１において、屋外側からの解錠か、屋内側からの解錠かに基づいて、待機時間を変えればよい。
【００７０】
屋外側からの玄関ドア１６の解錠に伴う宅配ボックス３０の解錠の場合には、玄関ドア１６の解錠後にいったん建物１０内に入ってから宅配物の取り出しに屋外側まで戻ってくることが考えられる。そのため、その戻ってくる時間を待つための待機時間が定められているのが望ましいが、屋内側からの玄関ドア１６の解錠に伴う宅配ボックス３０の解錠の場合には、その待機時間は不要である。この場合、宅配ボックス３０が解錠状態とされる待機時間を必要に応じた時間に設定できるため、過剰に長い間において宅配ボックス３０が解錠状態とされることがなく、防犯上好ましい。
【００７１】
（６）上記実施形態では、宅配物の情報として宅配ボックス３０内の宅配物の大きさと重量とが取得されているが、宅配物の大きさ及び重量の少なくとも一方が宅配物の情報として取得されていればよい。この場合、取得された宅配物の大きさ及び重量の少なくとも一方の宅配物の情報に対する許可条件が定められていればよい。
【００７２】
（７）上記実施形態では、宅配ボックス３０の扉３２に施錠装置３３が取り付けられているが、施錠装置３３は必須の構成ではない。例えば、電気的に扉３２が開閉可能な宅配ボックス３０であってもよく、この場合、宅配物の取り出しが許可される場合には、扉３２が開閉可能され、宅配物の取り出しが非許可の場合には扉３２が開閉不可とされる構成とされる。
【符号の説明】
【００７３】
１０…建物、１５…出入口としての玄関口、１６…開閉体としての玄関ドア、１９…報知手段としての表示灯、２１…施錠装置、３０…宅配ボックス、３４…検出手段としての赤外線センサ、３５…検出手段としての重量センサ、４０…特定手段、情報取得手段及び制御手段としてのコントローラ。
【図１】
2020146402.tif 000003
【図２】
2020146402.tif 000004
【図３】
2020146402.tif 000005